(57)【要約】【課題】スリープモード時における装置の消費電力を低減すること。【解決手段】  スリープモードとスタンバイモードで動作可能で、スリープモードにおいて送信待機ファイルを保存する不揮発性のＨＤＤ２２と、スタンバイモードにおいてＨＤＤ２２から転送された送信待機ファイルを保存する揮発性のＲＡＭ９と、ＲＡＭ９に保存された送信待機ファイルを指定時刻に送信する送信手段を有する画像処理装置であって、前記第１及び第２の記憶手段間において送信待機ファイルの転送制御を行うファイル制御手段を有し、前記ファイル制御手段は、時間判定手段が送信指定時刻までの所定の残り時間が設定時間内と判定したとき、送信待機ファイルをＨＤＤ２２からＲＡＭ９に転送する。【選択図】図１
2017123623.tif 000002
【特許請求の範囲】
【請求項１】
スリープモードとスタンバイモードで動作可能であって、スリープモードにおいて送信待機ファイルを保存する不揮発性の第１の記憶手段と、スタンバイモードにおいて前記第１の記憶手段から転送された前記送信待機ファイルを保存する揮発性の第２の記憶手段と、第２の記憶手段に保存された前記送信待機ファイルを指定時刻に送信する送信手段を有する画像処理装置であって、
送信指定時刻までの所定の残り時間を設定する時間設定手段と、
前記送信待機ファイルの送信指定時刻までの残り時間が、設定時間内にあるか否か判定する時間判定手段と、
前記第１及び第２の記憶手段間において送信待機ファイルの転送制御を行うファイル制御手段と、を有し、
前記ファイル制御手段は、前記時間判定手段が送信指定時刻までの所定の残り時間が前記設定時間内と判定したとき、前記送信待機ファイルを前記第１の記憶手段から前記第２の記憶手段に転送することを特徴とする画像処理装置。
【請求項２】
請求項１に記載された画像処理装置において、
前記スリープモードからスタンバイモードへ復帰する際に、当該復帰要因を検出する復帰要因検出手段を有し、
前記ファイル制御手段は、検出した復帰要因が前記送信待機ファイルを送信する時刻指定送信ジョブであるとき、前記時間設定手段は時間設定を行わず、前記スリープモードからの復帰時に前記送信待機ファイルを前記第１の記憶手段から前記第２の記憶手段に転送することを特徴とする画像処理装置。
【請求項３】
請求項１又は２に記載された画像処理装置において、
前記時間設定手段は、スリープモードへの移行時間及びスリープモードからの復帰時間を計測して、その測定結果に基づき前記設定時間を設定することを特徴とする画像処理装置。
【請求項４】
請求項１ないし３のいずれかに記載された画像処理装置において、
前記時間設定手段は、前記第２の記憶手段のバックアップ電源である２次電池のバックアップ可能な時間に基づき前記設定時間を設定することを特徴とする画像処理装置。
【請求項５】
請求項１ないし４のいずれかに記載された画像処理装置において、
前記ファイル制御手段は、前記第２の記憶手段の記憶容量が満杯となったときは、前記第２の記憶手段に保存された送信待機ファイルを前記第１の記憶手段に保存することを特徴とする画像処理装置。
【請求項６】
請求項１ないし５のいずれかに記載された画像処理装置において、
前記ファイル制御手段は、読み取った送信待機ファイルを前記第１の記憶手段に保存するか、前記第２の記憶手段に保存するか選択可能とすることを特徴とする画像処理装置。
【請求項７】
請求項１ないし６のいずれかに記載された画像処理装置において、
前記ファイル制御手段は、送信待機ファイルの解像度に基づき、前記送信待機ファイルを、前記第１の記憶手段、もしくは前記第２の記憶手段に保存することを特徴とする画像処理装置。
【請求項８】
請求項１ないし７のいずれかに記載された画像処理装置において、
コントローラ部と、送信制御部を有し、
前記第１の記憶手段は前記コントローラ部側に備えられ、かつ前記第２の記憶手段は、前記送信制御部側に備えられており、
前記ファイル制御手段は、前記コントローラ部及び送信制御部のそれぞれの主制御部で構成されることを特徴とする画像処理装置。
【請求項９】
請求項１ないし８のいずれかに記載された画像処理装置において、
前記送信待機ファイルを送信する送信手段は、ＦＡＸ送信手段であることを特徴とする画像処理装置。
【請求項１０】
スリープモードとスタンバイモードで動作可能であって、スリープモードにおいて送信待機ファイルを保存する不揮発性の第１の記憶手段と、スタンバイモードにおいて前記第１の記憶手段から転送された前記送信待機ファイルを保存する揮発性の第２の記憶手段と、第２の記憶手段に保存された前記送信待機ファイルを指定時刻に送信する送信手段を有する画像処理装置における送信待機ファイルの送信方法であって、
送信指定時刻までの所定の残り時間を設定する時間設定工程と、
前記送信待機ファイルの送信指定時刻までの残り時間が、設定時間内にあるか否か判定する時間判定工程と、
前記第１及び第２の記憶手段間において送信待機ファイルの転送制御を行うファイル制御工程と、を有し、
前記ファイル制御工程では、前記時間判定工程において送信指定時刻までの所定の残り時間が前記設定時間内と判定されたとき、前記送信待機ファイルを前記第１の記憶手段から前記第２の記憶手段に転送することを特徴とする画像処理装置における送信待機ファイルの送信方法。
【発明の詳細な説明】
【技術分野】
【０００１】
本発明は画像処理装置及び画像処理装置における送信待機ファイルの送信方法に関する。
【背景技術】
【０００２】
ファクシミリ機能を持つ画像処理装置において、公衆回線から呼出信号があった場合は、常時ファクシミリ受信できなければならない。そのため、スリープモード時においても、ファクシミリ制御部の電源を常に立ち上げておく必要があり、画像処理装置の消費電力が大きくなる問題がある。
この問題に対して、例えば特許文献１（特開２０１３−５３３３号公報）には、スリープモード時における消費電力を低減させるため、省エネ制御を行う省エネマイコンを追加して、スリープモード時に省エネマイコン以外の電源をオフしておき、省エネモードからの復帰要因を検出した場合にのみ、ファクシミリ機能を通電させてファクシミリ通信を行うネットワークファクシミリ装置などが開示されている。
【０００３】
このネットワークファクシミリ装置などにおいては、ファクシミリ制御部内のメモリ（揮発性）にファクシミリ送信待機ファイルが保存されている場合、ファクシミリ制御部を電源オフと送信待機ファイルが消失してしまう。そのため、スリープモードに移行しても、ファクシミリ制御部の電源をオフできず、画像処理装置のスリープモード時の消費電力が増加する問題がある。
この問題に対する解決策として、別の特許文献２（特開２０１２−９００１７号公報）には、送信待機ファイルをファクシミリ制御部内のメモリから外部装置へ移行させて、送信待機ファイルを保存するためのメモリ電源をオフしておき、送信時刻となったときにファクシミリの電源を入力して、送信待機ファイルを送信することで消費電力を低減する画像形成装置などが開示されている。
しかし、ファクシミリ制御部のコントローラ制御部は外部機器とのやり取りのため常に通電されており、システム全体として消費電力の低減ができていない。
【０００４】
また、この画像形成装置などは、スリープモード時の電力の低減を目的として、２次電池が指定時刻までバックアップできない場合に、送信待機ファイルを外部装置に送り、メモリの電源をオフするものの、コントローラ制御部の省エネ制御については開示されていない。
【発明の概要】
【発明が解決しようとする課題】
【０００５】
本発明は、上記従来の問題に鑑みてなされたものであって、その目的は、スリープモードとスタンバイモードで動作する画像処理装置において、スリープモード時における消費電力を低減することである。
【課題を解決するための手段】
【０００６】
本発明は、スリープモードとスタンバイモードで動作可能であって、スリープモードにおいて送信待機ファイルを保存する不揮発性の第１の記憶手段と、スタンバイモードにおいて前記第１の記憶手段から転送された前記送信待機ファイルを保存する揮発性の第２の記憶手段と、第２の記憶手段に保存された前記送信待機ファイルを指定時刻に送信する送信手段を有する画像処理装置であって、送信指定時刻までの所定の残り時間を設定する時間設定手段と、前記送信待機ファイルの送信指定時刻までの残り時間が、前記設定時間内にあるか否か判定する時間判定手段と、前記第１及び第２の記憶手段間において送信待機ファイルの転送制御を行うファイル制御手段と、を有し、前記ファイル制御手段は、前記時間判定手段が送信指定時刻までの所定の残り時間が前記設定時間内と判定したとき、前記送信待機ファイルを前記第１の記憶手段から前記第２の記憶手段に転送することを特徴とする画像処理装置である。
【発明の効果】
【０００７】
本発明によれば、スリープモードとスタンバイモードで動作する画像処理装置において、スリープモード時における消費電力を低減することができる。
【図面の簡単な説明】
【０００８】
【図１】本発明の実施形態に係る画像処理装置のシステム構成を示すブロック図である。
【図２】第１の実施形態におけるファクシミリ送信待機ファイルの送信のための処理手順を示すフロー図である。
【図３】第２の実施形態におけるファクシミリ送信待機ファイルを送信するための処理手順について説明する図である。
【図４】第３の実施形態におけるファクシミリ送信待機ファイルを送信するための処理手順について説明する図である。
【図５】第４の実施形態の画像処理装置における、送信待機ファイルを送信するまでの処理手順を説明するフロー図である。
【図６】第５の実施形態の画像処理装置における、送信待機ファイルを送信するまでの処理手順を示す図である。
【図７】第６の実施形態の画像処理装置における、送信待機ファイルを送信するまでの処理手順を示す図である。
【発明を実施するための形態】
【０００９】
次に、本発明の実施の形態を説明するが、その前に本発明の特徴について説明する。
要するに、本発明は、コントローラ制御部内の不揮発性メモリに送信待機ファイルを保存しておくことで、スリープモード時にファクシミリ制御部の電源をオフする。そのため消費電力を低減することができ、送信待機ファイルの送信時刻となったときにスリープモードから復帰した場合は、そのまま待機ファイルの送信を行う。
一方、送信待機ファイルの送信時刻送信以外の復帰要因により復帰した場合は、送信待機ファイルの送信要求及び予定時刻までの残り時間について確認を行い、その残り時間に応じて、送信待機ファイルをコントローラ側に保持したままにしておくのか、ＦＡＸ制御部側へ送るのか判断を行う。
送信指定時刻までの残り時間が予め設定された時間以内の場合は、復帰の際に、送信待機ファイルをＦＡＸ制御部側へ送信を完了しておくことで、送信時刻となったときに改めて、コントローラを起動させる必要をなくす。そのため、不必要に電力を消費させることを防止することが特徴になっている。
【００１０】
図１は、本発明の実施形態に係る画像処理装置のシステム構成を示すブロック図である。
画像処理装置は、ファクシミリの送信／受信（なお、「／」は「及び」の意味である）を制御するファクシミリコントローラユニット（FCU；本発明の「通信制御部」に対応する；以下、ここでは、ＦＡＸ制御部という）１と、ＦＡＸ制御部１に接続された画像処理装置を制御するコントローラ（CRL; ここではコントローラという）２０と接続されている。
コントローラ２０は、操作部３０、読取部４０と接続される。また、コントローラ２０は、エンジン制御部５０と接続される。エンジン制御部５０は、画像形成部で、電子写真やインクジェットの技術を用いて紙等に画像を印刷する。また、コントローラ２０にてＮＩＣ（Network Interface Card）２５などを介して受信したプリントデータも同様に印刷出力することができる。
【００１１】
次にＦＡＸ制御部１の構成について説明する。
ＦＡＸ制御部１の主制御部２は、マイクロプロセッサなどから構成されるＣＰＵ（Central Processing Unit）であり、ＲＯＭ（Read Only Memory）７に記憶されているプログラムにしたがって、モデム３、ＳｉＤＡＡ（Data Access Arrangement）（ＳＳＤ（Solid State Drive））４、ＳｉＤＡＡ（ＬＳＤ（Line Side Device；回線側回路））５、通信回路６、ＲＡＭ（Random Access Memory）９、２次電池（充電部含む）１０、不揮発性ＲＡＭ８を制御する。
ＲＡＭ９は、読取部４０によって読み取られた２値化画像データを保存する。読み取った画像データは、モデム３によって変調を行い、ＳｉＤＡＡ（ＳＳＤ（Solid State Drive））４、ＳｉＤＡＡ（ＬＳＤ）５、通信回路６を介して電話回線１１に出力される。ここでＳｉＤＡＡ（ＳＳＤ）４、ＳｉＤＡＡ（ＬＳＤ）５、通信回路６は「通信手段」を構成する。
【００１２】
また、ＲＡＭ９は、電話回線１１から入力されたアナログ波形信号をＳｉＤＡＡ（ＳＳＤ）４、ＳｉＤＡＡ（ＬＳＤ）５、通信回路６およびモデム３を介して復調し、その復調した２値化データを保存する（なお、ＲＡＭ９は、本発明の「第２の記憶手段」に対応する）。
不揮発性ＲＡＭ８は、ＦＡＸ制御部１の電源が遮断された状態であっても、保存しておくべきデータ（例えば、短縮ダイヤル番号など）を確実に保存する。
読取部４０は、ＤＭＡ（Direct Memory Access）コントローラ、画像処理ＩＣ、イメージセンサ、ＣＭＯＳ（Complementary MOS; 相補型MOS）ロジックＩＣなどから構成され、コンタクトセンサ（ＣＳ）を利用して読み取ったデータを２値化し、その２値化データを順次ＲＡＭ９に送る。
【００１３】
通常、ファクシミリの時間指定送信待機ファイルは、２値化されて、ＲＡＭ９に保存される。また、停電時などに蓄積ファイルを紛失しないため、ＲＡＭ９は、２次電池によるバックアップを可能としている。バックアップ保存時間は、数時間まで可能とする。
モデム３は、Ｇ３モデムとこれらのモデムに接続されたクロック発生回路などから構成され、ＦＡＸ制御部１の主制御部２の制御に基づいてＲＡＭ９に保存されている送信データを変調し、ＳｉＤＡＡ（ＳＳＤ）４、ＳｉＤＡＡ（ＬＳＤ）５、通信回路６およびモデム３を介して電話回線１１に出力する。
【００１４】
また、モデム３は、電話回線１１のアナログ信号をＳｉＤＡＡ（ＳＳＤ）４、ＳｉＤＡＡ（ＬＳＤ）５、通信回路６を介して導き、その信号を変調して２値化データをＲＡＭ９に保存する。
ＳｉＤＡＡ４（ＳＳＤ）は、呼出信号を検出する手段を有し、呼出信号が検出されたときは着信信号をＦＡＸ制御部１の電源制御部（マイコン）１３に送出することができる。
外付け電話機１２は、ＦＡＸ制御部１に外付けで接続される。外付け電話機１２は、ハンドセット、スピーチネットワーク、ダイヤル、リンガー、テンキー、ワンタッチキーなどから構成される。
【００１５】
操作部３０は、画像送信、受信などをスタートさせるキー、送受信時におけるファイン、標準、自動受信などの操作モードを指定するモード選択キー、ダイヤリング用のテンキーないしワンタッチキーなどから構成される。
ファクシミリ時間の指定送信設定についても操作部３０にて行われる。
ＦＡＸ制御部１の電源制御部（マイコン）１３は、ＦＡＸ制御部１の各部への通電を制御する。
ＦＡＸ制御部１の電源制御部（マイコン）１３は、通信回路６からの呼出信号、外付け電話機１２のオフフック信号、起動信号をＦＡＸ制御部電源制御ＳＷ（スイッチ）１４に送出し、ＦＡＸ制御部１の主制御部２、モデム３、ＳｉＤＡＡ（ＳＳＤ）４、ＲＯＭ７、ＲＡＭ９、不揮発性ＲＡＭ８の電源を投入することができる。
【００１６】
ＦＡＸ制御部１の主制御部２は、電源が投入されると、ＦＡＸ制御部１の内部のモデム３、ＳｉＤＡＡ（ＳＳＤ）４などのデバイスの初期化処理を行う。初期化処理が完了すると、ＦＡＸ制御部１は、スリープモードから復帰し、確認した復帰要因に応じて、ファクシミリ動作を行う。
ＦＡＸ制御部１の主制御部２と、コントローラ２０の主制御部２１は、コネクタを介してＰＣＩ（Peripheral Component Interconnect）バスにより接続されている。
【００１７】
コントローラ２０の主制御部２１は、ＨＤＤ（Hard Disk Drive）２２と接続されている。
ＨＤＤ２２は、不揮発性であり、コントローラ２０の主制御部２１の電源がオフされたとしても、ＨＤＤ２２に保存されたデータは消失しない。ファクシミリ待機文書は、ＨＤＤ２２にも保存可能とする（なお、ＨＤＤ２２は、本発明における「第１の記憶手段」に対応する）。
読取部４０にて読み取られた送信待機ファイルは、コントローラ２０の主制御部２１によりＨＤＤ２２に保存される。
【００１８】
ＦＡＸ制御部１の主制御部２及びコントローラ２０の主制御部２１は、いずれもＲＴＣ（Real Time Clock)機能を持ち時間の管理を可能とする。
コントローラ２０の主制御部２１は、内部のＲＴＣ２３により送信時刻（日時を含む）の直前にＨＤＤ２２に保存された送信待機ファイルをＦＡＸ制御部１の主制御部２に送信する。ＦＡＸ制御部１の主制御部２は、コントローラ２０の主制御部２１より、受け取った送信待機ファイルをＲＡＭ９に保存する（したがって、コントローラ２０の主制御部２１とＦＡＸ制御部１の主制御部２は、本発明の「ファイル制御手段」を構成する）。
主制御部２は、このときにコントローラ２０より、送信時刻の情報も入手する。
主制御部２は、内部のＲＴＣ１５により時刻を管理して、送信指定時刻になると時間指定ファイルを電話回線１１より送信する。
【００１９】
コントローラ２０の主制御部２１は復帰要因の検出を実行する復帰要因検出手段を構成し、起動後、復帰要因検出手段により復帰要因の検出を開始して、スリープモードへ移行する。復帰要因としては、タイマーによる復帰ＦＡＸ送信指定時刻一致、操作部３０、読取部４０、ＦＡＸ制御部１からの復帰要因、ネットワークからの印刷ジョブ実行などの復帰要因がある。コントローラ２０は、復帰要因を検出すると、スリープモードから復帰して、復帰要因にしたがったジョブを実行する。
【００２０】
次に、以上で説明した画像処理装置における送信待機ファイル、ここではファクシミリ送信待機ファイルの送信のための処理手順について説明を行う。なお、ＦＡＸ制御部１とコントローラ２０の消費電力は、コントローラ２０の方が遥かに大きい。そのため、画像処理装置におけるＦＡＸ送受信のためのシステム全体としては、スリープモードにあるコントローラ２０を復帰させる電力よりも、ＦＡＸ制御部１を通電させたままにしておく方が、省エネ効果を得られる場合が多い。そこで、以下で説明する実施形態でもその点を考慮して、送信時刻において、送信待機ファイルを送信するだけのためにコントローラ２０をスリープモードからスタンバイモードに復帰させないようにしている。
【００２１】
図２は、第１の実施形態におけるファクシミリ送信待機ファイルの送信のための処理手順を示すフロー図である。
ここで、まず、画像処理装置が時刻指定ファクシミリ送信（内部での復帰要因）にて復帰する場合の処理手順について説明する。
第１の実施形態に係るファクシミリ送信待機ファイルを送信するための処理手順について図２を参照して説明する。
即ち、この処理のスタート時（コントローラ２０及びＦＡＸ制御部１はいずれもスリープモードにある）に、コントローラ２０の主制御部２１は、時刻指定送信のジョブを受け付けると（Ｓ１０１）、コントローラ２０の主制御部２１及びＦＡＸ制御部１はスタンバイモードに復帰して送信宛先情報及び画像データ（本発明の送信待機ファイルに対応する）をＨＤＤ２２に保存する（Ｓ１０２）。また、コントローラ２０の主制御部２１は、ＲＴＣ２３に復帰日時情報を登録する（Ｓ１０３）。コントローラ２０及びＦＡＸ制御部１（のそれぞれの復帰要因検出手段）は、ここでスリープモード（省エネモード）からの復帰要因検出を開始し（Ｓ１０４）、スリープモード復帰要因検出を行った後、コントローラ２０及びＦＡＸ制御部１はスリープモードへと移行する（Ｓ１０５）。
【００２２】
次に、コントローラ２０の主制御部２１は、ＲＴＣ２３からの復帰指示を待ち（Ｓ１０６）、登録した復帰日時情報に基づきＲＴ２３から割り込み（復帰指示）が発生すると（Ｓ１０６、Ｙｅｓ）、コントローラ２０の主制御部２１は、割り込みを受け取りコントローラ２０（主制御部２１）及びＦＡＸ制御部１はスリープモードから復帰する（Ｓ１０７）。復帰した主制御部２１は、ＨＤＤ２２に保存された送信待機ファイル（送信宛先、画像データ）をＦＡＸ制御部１の主制御部２に送信する（Ｓ１０８）。主制御部２は、送信宛先情報、画像データを受け取ると、これらをＦＡＸ制御部１内のＲＡＭ９に保存し（Ｓ１０９）、内部にもつＲＴＣ１５より時刻管理を行う。
ここで、コントローラ２０は、スリープモードへと移行する（Ｓ１１０）。
【００２３】
一方、主制御部２は送信時刻を待ち（Ｓ１１１）、時刻が送信時刻に一致すると（Ｓ１１１、Ｙｅｓ）、ＲＡＭ９から送信宛先情報、送信画像データを読み出してＦＡＸ送信を行う（Ｓ１１２）。次に、ＦＡＸ制御部１は、スリープモードに移行して（Ｓ１１３）、この処理を終了する。
【００２４】
次に、画像処理装置が時刻指定ファクシミリ送信（内部での復帰要因）以外の要因にて復帰した場合の処理手順について説明する。
ここでは、コントローラ２０において、ステップＳ１０６においてＲＴＣ２３からの復帰指示ではなく（Ｓ１０６、Ｎｏ）、時刻指定ファクシミリ送信以外の復帰要因として、例えば、ネットワーク２４経由にて印刷実行などのジョブを受け取ると（Ｓ１１４、Ｙｅｓ）、コントローラ２０の主制御部２１は、スリープモードから復帰して（Ｓ１１５）、エンジン制御部５０などを起動させて印刷ジョブを実行する（Ｓ１１６）。
要求ジョブの処理が完了した後、コントローラ２０の主制御部２１（の時間判定手段）は、ＲＴＣ２３のレジスタを読み、時刻指定送信ジョブの有無を確認し（Ｓ１１７）、時刻指定送信ジョブが存在する場合は（Ｓ１１８、Ｙｅｓ）、送信指定時刻までの残り時間が予め設定された設定時間（例えば５分）以内か否かを判定する（Ｓ１１９）。ここで、送信指定時刻までの残り時間が設定時間以内であるときは（Ｓ１１９、Ｙｅｓ）、コントローラ２０は、ＦＡＸ制御部１をスリープモードから復帰させて（Ｓ１２０）、後述するステップＳ１２８に移行して、以降の処理（Ｓ１２９〜Ｓ１３３）を行う。
【００２５】
ステップＳ１１９で時刻送信指示がないか（Ｓ１１９，Ｎｏ）、又は時刻送信指示があっても（Ｓ１１９、Ｙｅｓ）、ステップＳ１２０で送信指定時刻までの残り時間が予め設定した時間以内でなければ（Ｓ１１９、Ｎｏ）、コントローラ２０はスリープモードへ移行して（Ｓ１２１）、処理を終了する。
【００２６】
ステップＳ１０６において、ＲＴＣ２３からの復帰指示がない場合であって（Ｓ１０６、Ｎｏ）、コントローラ２０の内部要因での復帰指示がなければ（Ｓ１１４、Ｎｏ）、ＦＡＸ受信による復帰指示を待ち（Ｓ１２２）、ＦＡＸ受信による復帰指示があれば（Ｓ１２２、Ｙｅｓ）、ＦＡＸ制御部１及びコントローラ２０はスリーブモードから復帰する（Ｓ１２３）。
【００２７】
ＦＡＸ受信が完了すると（Ｓ１２４）、コントローラ２０の主制御部２１はＲＴＣ２３に復帰日時情報を確認する（Ｓ１２５）。ここで、時刻指定送信の指示の有無を確認し（Ｓ１２６）、時刻指定送信の指示があり（Ｓ１２６、Ｙｅｓ）、時刻指定送信までの時間が設定時間以内であれば（Ｓ１２７、Ｙｅｓ）、コントローラ２０の主制御部２１は、ＨＤＤ２２に保存された送信宛先情報及び画像データをＦＡＸ制御部１の主制御部２に転送する（Ｓ１２８）。ＦＡＸ制御部１の主制御部２は、受け取った送信宛先情報、画像データをＲＡＭ９に保存し（Ｓ１２９）、コントローラ２０はスリープモードへ移行する（Ｓ１３０）。
【００２８】
一方、ＦＡＸ制御部１の主制御部２は、時刻が送信時刻に一致するのを待ち（Ｓ１３１）、送信時刻の一致を確認すると（Ｓ１３１、Ｙｅｓ）、主制御部２は、送信宛先情報及び送信画像データをＲＡＭ９から読み出してＦＡＸ送信を行う（Ｓ１３２）。その後ＦＡＸ制御部１はスリープモードへ移行して（Ｓ１３３）、処理を終了する。
なお、ステップＳ１２２で、ＦＡＸ受信による復帰指示がなければ（Ｓ１２２、Ｎｏ）、ステップＳ１０６に戻り、既に説明したその後の処理を行う。また、ステップＳ１２６で、時刻指定送信指示がないか（Ｓ１２６、Ｎｏ）、時刻指定送信指示があっても（Ｓ１２６、Ｙｅｓ）、設定時間以内でなければ（Ｓ１２７、Ｎｏ）、ＦＡＸ制御部１及びコントローラ２０はスリープモードへ移行して（Ｓ１３４）、この処理を終了する。
【００２９】
以上説明したように、本実施形態では、画像処理装置をコントローラ２０とＦＡＸ制御部１で構成し、時刻指定送信ジョブをコントローラ２０側に保存しておき、ＦＡＸ送信を行うに際して、時刻指定送信ジョブ（宛先、画像データ）をＦＡＸ制御部１側に移して送信を行うようにする。その場合において、画像処理装置がスリープモードから復帰する際に、スリープモードからの復帰要因が時刻指定送信ジョブによる復帰要求に基づくものである場合は、そのままＦＡＸ制御部１から指定時刻にＦＡＸ送信を行う。一方、時刻指定送信ジョブ以外の復帰要因によりスリープモードから復帰した場合においては、時刻指定送信ジョブの送信指定時刻までの残り時間を確認して、残り時間が未だ予め設定した「設定時間」の範囲外であれば、送信データ（宛先、画像データ）をコントローラ２０側に保持したままにする。また、時刻が予め設定された「設定時間」範囲内であれば、コントローラ２０側からＦＡＸ制御部１側へ画像データ等を送信（転送）する。
【００３０】
このように、本実施形態では、コントローラ２０の制御部２１の管理下にある不揮発性メモリ（ＨＤＤ）に送信待機ファイルを保存しておくことで、スリープモード時にＦＡＸ制御部１の電源をオフすることで、消費電力を低減することができる。なお、送信待機ファイルの送信時刻となったときにスリープモードから復帰した場合は、そのまま待機ファイルの送信を行う。
一方、送信待機ファイルの送信時刻送信以外の復帰要因により復帰した場合は、送信待機ファイルの送信要求及び予定時刻までの残り時間について確認を行い、その残り時間に応じて、送信待機ファイルをコントローラ側に保持したままにしておくのか、ＦＡＸ制御部側へ送るのか判断を行う。つまり、送信指定時刻までの残り時間が予め設定された時間以内の場合は、復帰の際に、送信待機ファイルをＦＡＸ制御部側へ送信を完了しておくことで、送信時刻となったときに改めて、コントローラを起動させる必要をなくしている。そのため、不必要に電力を消費させることを防止することができる。
【００３１】
次に、図３を参照して、本発明の第２の実施形態におけるスリープモードへの移行から、スタンバイモードへの移行までの各移行時間の計測のための処理手順を説明する。
本実施形態においては、コントローラ２０の主制御装置２１（時間設定手段）は、スリープモードへの移行要求を受け取ると、スリープモードへの移行に掛かった時間をＣＰＵタイマーにより計測し、計測結果を不揮発性のメモリに保存する。
また、スリープモードに移行した後に、スリープモードからスタンバイモード（スタンバイモード）への復帰要求を受け取ると、同様に、スリープモードからスタンバイモード復帰にかかった時間を計測し、計測結果をメモリに保存する。
このときの設定時間は、スリープモードからスタンバイモード移行に掛かった時間と、スリープモードからスタンバイモードに復帰に必要な時間を足した時間で設定する。
【００３２】
図３を参照して第２の実施形態の処理手順を説明する。
即ち、まず処理のスタートに当たり、スリープモードへの移行要求を待つ（Ｓ２０１）。ここで、スリープモードへの移行要求があれば（Ｓ２０１、Ｙｅｓ）、スリープモードへの移行を開始して、移行に要する時間の計測を開始する（Ｓ２０２）。次に、スリープモードへの移行が完了したときに、移行時間の計測が完了する（Ｓ２０３）。ここで、スリープモード移行開始から移行完了までの時間を設定時間に反映させ（Ｓ２０４）、スタンバイモードへの復帰要求を待つ（Ｓ２０５）。
【００３３】
ステップＳ２０５で、スタンバイモードへの復帰要求があれば（Ｓ２０５、Ｙｅｓ）、スタンバイモードへ移行を開始すると共に、転送に要する時間の計測を開始する（Ｓ２０６）。次に、スタンバイモードへの移行が完了したときは移行時間の計測を完了し（Ｓ２０７）、スタンバイモード開始から完了までの時間を設定時間に反映させて（Ｓ２０８）、この処理を終了する。
【００３４】
設定時間については、スリープモードへと移行した状態でスタンバイモードに復帰するまでの時間以上が設定されることが望ましい。
本実施形態によれば、設定時間を実際に必要な時間を確認して設定することで、スリープモードに移行した直後に、ＦＡＸ指定時刻となり、システムを起動させることが起きないようにすることができる。また、スリープモードに移行している間に、指定時刻となり要求時刻にＦＡＸ送信できないなどの不具合が発生しないようにすることができる。
なお、例えば、スリープモードへの移行、スタンバイモードへの復帰に２、３分程度必要となる場合は、設定時間は５分程度を設定することが好ましい。
【００３５】
図４は、第３の実施形態に係る画像処理装置におけるファクシミリ送信待機ファイルの送信のための処理手順を示すフロー図である。
第３の実施形態は、第１の実施形態においてＦＡＸ制御部１における時刻指定送信までの設定時間を、ＲＡＭ９のバックアップ電源である２次電池充電時間（ここでは、２次電池利用可能時間又はバックアップ可能時間の意味である）で設定する点で相違し、その他の点では一致している。
具体的には、以下で説明するフロー図において、時間設定を２次電池１０の電池充電時間に基づき行う処理（ステップＳ３１９及びステップ３２７）が付加された点で、図２に示す第１の実施形態における処理と異なる。
【００３６】
次に、図４を参照してファクシミリ送信待機ファイルの送信のための処理手順について説明する。
ここで、まず、画像処理装置が時刻指定ファクシミリ送信（内部での復帰要因）にて復帰した場合の処理手順について説明する。
第３の実施形態に係るファクシミリ送信待機ファイルを送信するための処理手順について図４を参照して説明する。
即ち、この処理のスタート時（コントローラ２０及びＦＡＸ制御部１はいずれもスリープモードにある）に、コントローラ２０の主制御部２１は、時刻指定送信のジョブを受け付けると（Ｓ３０１）、コントローラ２０の主制御部２１及びＦＡＸ制御部１はスタンバイモードに復帰して送信宛先情報及び画像データをＨＤＤ２２に保存する（Ｓ３０２）。また、コントローラ２０の主制御部２１は、ＲＴＣ２３に復帰日時情報を登録する（Ｓ３０３）。コントローラ２０及びＦＡＸ制御部１（のそれぞれの復帰要因検出手段）は、スリープモード（省エネモード）復帰要因検出を開始し（Ｓ３０４）、スリープモード復帰要因検出を行った後、コントローラ２０及びＦＡＸ制御部１はスリープモードへと移行する（Ｓ３０５）。
【００３７】
ここで、ＲＴＣ２３からの復帰指示を待ち（Ｓ３０６）、ＲＴＣ２３から登録した復帰日時情報に基づきコントローラ２０の主制御部２１に割り込み（復帰指示）が発生すると（Ｓ３０６、Ｙｅｓ）、コントローラ２０の主制御部２１は、割り込みを受け取りコントローラ２０の主制御部２１及びＦＡＸ制御部１はスリープモードから復帰する（Ｓ３０７）。スリープモードから復帰したコントローラ２０の主制御部２１は、ＨＤＤ２２に保存された送信待機ファイル（送信宛先、画像データ）をＦＡＸ制御部１の主制御部２に送信する（Ｓ３０８）。主制御部２は、送信宛先情報、画像データを受け取ると、これらをＦＡＸ制御部１内のＲＡＭ９に保存し（Ｓ３０９）、内部にもつＲＴＣ１５より時刻管理を行う。
ここで、コントローラ２０は、スリープモードへと移行する（Ｓ３１０）。
【００３８】
次に、主制御部２は送信時刻を待ち（Ｓ３１１）、時刻が送信時刻に一致すると（Ｓ３１１、Ｙｅｓ）、主制御部２は、ＲＡＭ９から送信宛先情報、送信画像データを読み出してＦＡＸ送信を行う（Ｓ３１２）。次に、ＦＡＸ制御部１は、スリープモードに移行して（Ｓ３１３）、この処理を終了する。
【００３９】
次に、画像処理装置が時刻指定ファクシミリ送信（内部での復帰要因）以外の要因にて復帰した場合の処理手順について説明する。
ここでは、コントローラ２０において、ステップＳ３０６においてＲＴＣ２３からの復帰指示ではなく（Ｓ３０６、Ｎｏ）、時刻指定ＦＡＸ送信以外の復帰要因として、例えば、ネットワーク２４経由にて印刷実行などのジョブを受け取ると（Ｓ３１４、Ｙｅｓ）、コントローラ２０の主制御部２１は、スリープモードから復帰して（Ｓ３１５）、エンジン制御部５０などを起動させて印刷ジョブを実行する（Ｓ３１６）。
要求ジョブの処理が完了した後、コントローラ２０の主制御部（の時間判定部）２１は、ＲＴＣ２３のレジスタを読み、時刻指定送信ジョブの有無を確認し（Ｓ３１７）、時刻指定送信ジョブが存在する場合は（Ｓ３１８、Ｙｅｓ）、送信指定時刻までの残り時間が予め設定された設定時間（例えば５分）以内か否かを判定する（Ｓ３１９）。
【００４０】
なお、設定時間は、ＦＡＸ制御部１（の時間設定手段が）例えば、２次電池の充電電圧を計測してバックアップ時間を算出してバックアップ可能時間から決定する。
ここで、時刻指定送信までの時間が、予め設定された設定時間以内である場合は（Ｓ３２０、Ｙｅｓ）、後述するステップＳ３２９、即ち、コントローラ２０の主制御部２１は、ＨＤＤ２２に保存されている送信宛先情報、画像データをＦＡＸ制御部１の主制御部２に転送し（Ｓ３２９）、ステップＳ３３０以降の処理を行う。
【００４１】
ステップＳ３１８で時刻送信指定指示がない場合（Ｓ３１８、Ｎｏ）、或いは時刻送信指定指示があり（Ｓ３１８、Ｙｅｓ）、ＦＡＸ制御部電源の２次電池充電時間（残量）に基づく時間設定がなされている場合であっても（Ｓ３１９）、ＦＡＸ送信時刻までの残り時間が予め設定された設定時間以内でなければ（Ｓ３２０、Ｎｏ）、ＦＡＸ制御部１は、コントローラ２０から受けとった情報について、送信時刻設定をＲＴＣ１５に保存し、送信宛先、画像データをＲＡＭ９に保存してスリープモードへと移行する（Ｓ３２１）。
ステップＳ３１４で、コントローラ２０の内部要因での復帰指示がなければ（Ｓ３１４、Ｎо）、ＦＡＸ受信による復帰指示を待ち（Ｓ３２２）、ＦＡＸ受信による復帰指示があれば（Ｓ３２２、Ｙｅｓ）、ＦＡＸ制御部１及びコントローラ２０はスリープモードから復帰する（Ｓ３２３）。
【００４２】
次に、ＦＡＸ受信が完了すると（Ｓ３２４）、コントローラ２０の主制御部２１はＲＴＣ２３に復帰日時情報を確認する（Ｓ３２５）。ここで、時刻指定送信の指示があれば（Ｓ３２６、Ｙｅｓ）、ＦＡＸ制御部１を復帰させて、２次電池充電時間に基づき時間設定を行い（Ｓ３２７）、ＦＡＸ制御部１における時刻指定送信までの残り時間が設定時間以内であれば（Ｓ３２８、Ｙｅｓ）、コントローラ２０の主制御部２１はＦＡＸ制御部１の主制御部２にＨＤＤ２２に保存された送信宛先情報及び画像データを転送する（Ｓ３２９）。ＦＡＸ制御部１の主制御部２は、ＲＡＭ９に送信宛先情報、画像データを保存し（Ｓ３３０）、コントローラ２０はスリープモードへ移行する（Ｓ３３１）。
【００４３】
その後、ＦＡＸ制御部１の主制御部２は、時刻が送信時刻に一致するのを待ち（Ｓ３３２）、時刻と送信時刻の一致を確認すると（Ｓ３３２、Ｙｅｓ）、ＦＡＸ制御部１の主制御部２は、ＲＡＭ９から送信宛先情報及び送信画像データを読み出してＦＡＸ送信を行う（Ｓ３３３）。その後ＦＡＸ制御部１はスリープモードへ移行して（Ｓ３３４）、処理を終了する。
ステップＳ３２２で、ＦＡＸ受信による復帰指示がなければ（Ｓ３２２、Ｎｏ）、ステップＳ３０６に戻り、既に説明したステップＳ３０７以降の処理を行う。
ステップＳ３２６において、時刻指定送信指示がなければ（Ｓ３２６、Ｎｏ）、また、ステップＳ３２８で設定時間以内でなければ（Ｓ３２８、Ｎｏ）、ＦＡＸ制御部１及びコントローラ２０はスリープモードへ移行して（Ｓ３３５）、処理を終了する。
【００４４】
なお、送信待機ファイルを保存するために、ＲＡＭ９の電源は基本的にオフすることはできないが、本実施形態では、２次電池１０の充電量（バックアップ可能時間）に基づき設定時間を設定するため、ＲＡＭ９の電源をオフしても、２次電池１０によるＲＡＭ９のバックアップが可能な時間内において、ＨＤＤ２２に保存された送信宛先情報及び画像データをＲＡＭ９に保存し、送信する処理を完了することができるため、省エネ効果が得られる。
また、本実施形態において、２次電池のバックアップ電池の充電量を確認して、十分に充電されていると判断できる場合は、設定時間を変更して、ＦＡＸ制御部１側への送信待機ファイルの送信を早めることで、更なる消費電力低減も可能である。
【００４５】
図５は、第４の実施形態の画像処理装置における、送信待機ファイルを送信するまでの処理手順を説明するフロー図である。
本実施形態では、ＲＡＭ９に対して、送信待機ファイルＡを保存した後に送信待機ファイルＢを保存した場合に、ＦＡＸ制御部１の主制御部２は、送信時刻を比較して、送信時刻の早いファイルから送信制御を行う。
この場合、ＲＡＭ９のメモリ容量が満杯となったときは、送信時刻の遅いファイルは一旦ＨＤＤ２２に戻す処理を行う。
【００４６】
本実施形態における処理手順を、図５を参照して説明する。
この処理では、まず読取部４０により送信待機ファイルを読み取る（Ｓ４０１）。コントローラ２０の主制御部２１は、読み取った送信待機ファイルＡをＨＤＤ２２に保存する（Ｓ４０２）。コントローラ２０の主制御部２１は、内部ＲＴＣ２３により、送信時刻の管理を開始する（Ｓ４０３）。次に、ＦＡＸ制御部１及びコントローラ２０はスリープモードへ移行すると共に電源をオフ状態にする（Ｓ４０４）。
【００４７】
コントローラ２０の主制御部２１が、ＲＴＣ２３により間もなく送信時間になる（即ち、送信時間の所定時刻前になった）ことを確認すると（Ｓ４０５）、コントローラ２０の主制御部２１は、スリープモードから復帰する（Ｓ４０６）。次に、コントローラ２０の主制御部２１は、ＦＡＸコントローラ電源制御部１３に対して、スリープモードからの復帰を要求する（Ｓ４０７）。これにより、ＦＡＸコントローラ電源制御部１３が起動する（Ｓ４０８）。次に、ＦＡＸ制御部２を起動し（Ｓ４０９）、かつコントローラ２０の主制御部２１は、送信待機ファイル及び送信時刻をＦＡＸ制御部１の主制御部２に送信する（Ｓ４１０）。
【００４８】
ここでコントローラ２０はスリープモードに移行し（Ｓ４１１）、ＦＡＸ制御部１の主制御部２はＲＡＭ９に送信待機ファイルＡを保存する（Ｓ４１２）。
次に、読取部４０により送信待機ファイルを読み取り、送信待機ファイルＢを作成し（Ｓ４１３）、送信待機ファイルの送信時刻を確認する（Ｓ４１４）。ここで、送信待機ファイルＢの方が送信待機ファイルＡの送信時刻よりも早い場合は（Ｓ４１４、Ｙｅｓ）、ＲＡＭ９の容量が満杯か否か判定し（Ｓ４１５）、満杯であれば（Ｓ４１５、Ｙｅｓ）、送信待機ファイルＡをＨＤＤ２２に一端保存する（Ｓ４１６）と共に、送信待機ファイルＢをＲＡＭ９に保存する（Ｓ４１７）。次に、送信待機ファイルＢを送信すると共に（Ｓ４１８）、送信待機ファイルＡをＲＡＭ９に保存する（Ｓ４１９）。ここで、送信待機ファイルＡを送信して（Ｓ４２０）、この処理を終了する。
【００４９】
ステップＳ４１４において、送信待機ファイルＢの方が送信待機ファイルＡの送信時刻よりも早くない、つまり、送信待機ファイルＡの送信時刻の方が、送信待機ファイルＢの送信時刻よりも早い場合は（Ｓ４１４、Ｎｏ）、まず、送信待機ファイルＡを送信する（Ｓ４２１）と共に、送信待機ファイルＢをＲＡＭ９に保存し（Ｓ４２２）、次に、送信待機ファイルＢを送信して（Ｓ４２３）、この処理を終了する。
【００５０】
ステップＳ４１５において、ＲＡＭ９のメモリ容量が満杯でない場合は（Ｓ４１５、Ｎｏ）、送信待機ファイルＢをＲＡＭ９に保存し（Ｓ４２４）、次に、送信待機ファイルＢを送信し（Ｓ４２５）、続いて送信待機ファイルＡを送信して（Ｓ４２６）、この処理を終了する。
本実施形態によれば、ＲＡＭ９の容量を考慮して省エネの観点から送信待機ファイルを効率的に送信処理することができる。
【００５１】
図６は、第５の実施形態の画像処理装置における、送信待機ファイルを送信するまでの処理手順を示す図である。
本実施形態では、コントローラ２０の主制御部２１（のファイル制御手段）は、読み取った送信待機ファイルを前記第１の記憶手段に保存するか、前記第２の記憶手段に保存するか選択可能である。即ち、画像処理装置が起動すると、ユーザにより、省電力を優先してスリープモードの設定とする場合は、送信待機ファイルは、ＨＤＤ２２に保存され、送信時刻にＲＡＭ９に送信する処理が行われる。一方、パフォーマンスを優先して、スリープモードの設定を不可とすると、送信待機ファイルをＲＡＭ９に保存し、送信時刻になると送信処理が行われる。この場合はＦＡＸ制御部１のＲＡＭ９は常に通電された状態となる。
【００５２】
本実施形態における処理手順を、図６を参照して説明する。
この処理においては、まず、画像処理装置を起動する（Ｓ５０１）。ここで、ＦＡＸ制御部１がスリープ設定されていれば（Ｓ５０２、Ｙｅｓ）、操作部３０にてファクシミリ時間指定送信設定を行う（Ｓ５０３）。次に、読取部４０により送信待機ファイルを読み取り（Ｓ５０４）、コントローラ２０の主制御部２１は、送信待機ファイルをＨＤＤ２２に保存する（Ｓ５０５）。次に、コントローラ２０の主制御部２１は、内部ＲＴＣ２３による送信時刻の管理を開始し（Ｓ５０６）、ＦＡＸ制御部１及びコントローラ２０は、スリープモードに移行すると共に、電源オフの状態にする（Ｓ５０７）。
【００５３】
ここで、コントローラ２０の主制御部２１が内部ＲＴＣ２３により、間もなく送信時刻となることを確認すると（Ｓ５０８）、コントローラ２０の主制御部２１とＦＡＸ制御部１の主制御部２はスリープモードから復帰する（Ｓ５０９）。
次に、コントローラ２０の主制御部２１は、送信待機ファイル及び送信時刻をＦＡＸ制御部１の主制御部２に送信する（Ｓ５１０）。その後コントローラ２０はスリープモードに移行する（Ｓ５１１）。
ＦＡＸ制御部１の主制御部２は、送信待機ファイル及び送信時刻を受信すると、これらをＲＡＭ９に保存し（Ｓ５１２）、時刻が送信時刻に一致することを確認すると（Ｓ５１３）、ＲＡＭ９に保存した送信待機ファイルを、電話回線１１により送信する（Ｓ５１４）。これにより処理を終了する。
【００５４】
ステップＳ５０２において、ＦＡＸ制御部１のスリープ設定がオンでないときは（Ｓ５０２、Ｎｏ）、操作部３０にて、ファクシミリ時間指定送信設定を行う（Ｓ５１５）。次に、読取部４０により送信待機ファイルを読み取り（Ｓ５１６）、コントローラ２０の主制御部２１は、送信待機ファイルをＦＡＸ制御部１の主制御部２に送信し（Ｓ５１７）、ＲＡＭ９に保存する（Ｓ５１８）。
ここで、ＦＡＸ制御部１の主制御部２は、送信時刻一致を確認すると（Ｓ５１９）、送信待機ファイルを電話回線１１より送信して（Ｓ５２０）、この処理を終了する。
【００５５】
本実施形態によれば、画像処理装置において、省電力を優先するか、パフォーマンスを選択可能とすることで、画像処理装置の使い勝手を向上することができる。
【００５６】
図７は、第６の実施形態の画像処理装置における、送信待機ファイルを送信するまでの処理手順を示す図である。
本実施形態は、第５の実施形態において、パフォーマンスを優先してＦＡＸ制御部１がスリープ設定しないときに、操作部３０にて、ファクシミリ時間指定送信設定をした後、画像解像度により、画像解像度が所定値よりも高いときと、そうでないときで異なる処理を実施する。本実施形態は、その他の点では、図６に示す第５の実施形態の処理手順と同じである。
【００５７】
本実施形態では、画像処理装置のスリープモード設定により、スリープモード不可とした場合においても、解像度の高いファイル、及び文書枚数が多い送信待機ファイルの場合は、ＨＤＤ２２に保存する。
これにより、解像度の高いファイル保存などによりＲＡＭ９のメモリ容量不足が発生する可能性があるときは、ＨＤＤ２２の領域を優先して使用することで、メモリ容量が枯渇することを防止することができる。
【００５８】
本実施形態における処理手順を、図７を参照して説明する。
即ち、まず、画像処理装置を起動する（Ｓ６０１）。ここで、ＦＡＸ制御部１がスリープ設定されていれば（Ｓ６０２、Ｙｅｓ）、操作部３０にてファクシミリ時間指定送信設定を行う（Ｓ６０３）。次に、読取部４０により送信待機ファイルを読み取り（Ｓ６０４）、コントローラ２０の主制御部２１は、送信待機ファイルをＨＤＤ２２に保存する（Ｓ６０５）。次に、コントローラ２０の主制御部２１は、内部ＲＴＣ２３による送信時刻の管理を開始する（Ｓ６０６）。次に、ＦＡＸ制御部１及びコントローラ２０は、スリープモードに移行すると共に、電源オフの状態にする（Ｓ６０７）。
【００５９】
ここで、コントローラ２０の主制御部２１が内部ＲＴＣ２３により、間もなく送信時刻となることを確認すると（Ｓ６０８）、コントローラ２０の主制御部２１とＦＡＸ制御部１の主制御部２はスリープモードから復帰する（Ｓ６０９）。
次に、コントローラ２０の主制御部２１は、送信待機ファイル及び送信時刻をＦＡＸ制御部１の主制御部２に送信すると（Ｓ６１０）、コントローラ２０はスリープモードに移行する（Ｓ６１１）。
送信待機ファイル及び送信時刻を受信したＦＡＸ制御部１の主制御部２は、ＲＡＭ９に送信待機ファイルを保存し（Ｓ６１２）、時刻が送信時刻に一致することを確認すると（Ｓ６１３）、送信待機ファイルを回線１１により送信して（Ｓ６１４）、この処理を終了する。
【００６０】
ステップＳ６０２において、ＦＡＸ制御部１のスリープ設定がオンでないときは（Ｓ６０２、Ｎｏ）、操作部３０にて、ファクシミリ時間指定送信設定を行う（Ｓ６１５）。ここで、画像解像度を判定し（Ｓ６１６）、画像解像度が所定値（ここでは400dpi×400dpi）以上であれば（Ｓ６１６、Ｙｅｓ）、ステップＳ６０５に移行して、以後、上述のステップＳ６０５以下の処理を行い、最終的にはＦＡＸ制御部１の主制御部２は、送信待機ファイルを回線１１より送信して処理を終了する。
【００６１】
ステップＳ６１６において、画像解像度が400dpi×400dpi以上でなければ（Ｓ６１６，Ｎｏ）、読取部４０により送信待機ファイルを読み取り（Ｓ６１７）、コントローラ２０の主制御部２１は、送信待機ファイルをＦＡＸ制御部１の主制御部２に送信し（Ｓ６１８）、ＲＡＭ９に送信待機ファイルを保存する（Ｓ６１９）。
ここで、ＦＡＸ制御部１の主制御部２は、時刻が送信時刻一致を確認すると（Ｓ６２０）、ＦＡＸ制御部１の主制御部２は、送信待機ファイルを回線１１より送信して（Ｓ６２１）、この処理を終了する。
【００６２】
以上、本発明の実施形態について説明したが、本実施形態によれば、コントローラ制御部と送信制御部を有する画像処理装置において、送信時刻が指定された送信待機ファイルを、スリープモード中はコントローラ制御部側の不揮発性の第１の記憶装置に保存しておき、スタンバイモード復帰時において、送信時刻の所定時間前までは不揮発性の第１の記憶手段に保存するようにした。これにより、送信制御部側の揮発性の第２の記憶装置の保存時間を短縮でき、また、送信待機ファイルを第２の記憶装置に転送した後は、コントローラ制御部側をスリープモードにできるため、装置全体の電力消費を従来よりも抑制することができる。
【符号の説明】
【００６３】
１・・・ＦＡＸ制御部、２・・・ＦＡＸ制御部の主制御部、３・・・モデム、６・・・通信回路、７・・・ＲＯＭ、８・・・不揮発性ＲＡＭ、９・・・ＲＡＭ、１０・・・２次電池、１１・・・回線、１３・・・電源制御部、１５・・・ＲＴＣ、２０・・・コントローラ、２１・・・コントローラの主制御部、２３・・・ＲＴＣ、２２・・・ＨＤＤ、３０・・・操作部、４０・・・読取部。
【先行技術文献】
【特許文献】
【００６４】
【特許文献１】特開２０１３−  ５３３３号公報
【特許文献２】特開２０１２−９００１７号公報
【図１】
2017123623.tif 000003
【図２】
2017123623.tif 000004
【図３】
2017123623.tif 000005
【図４】
2017123623.tif 000006
【図５】
2017123623.tif 000007
【図６】
2017123623.tif 000008
【図７】
2017123623.tif 000009